(57)【要約】【課題】景観が損なわれることを抑制しつつゲートの入口を目立たせることができるゲート装置を提供する。【解決手段】通過体Ｍが通過し得るゲートＧを形成するゲート装置１は、通過体Ｍを通過させるゲートＧの通路Ｗを形成するように空間を区画する仕切部材１０と、発光装置３１とを備える。仕切部材１０は、光透過性を有する板状部材で形成された光透過性板状部材１１を有し、光透過性板状部材１１の表面１５が通路Ｗに沿うように配置されている。発光装置３１は、ゲートＧの入口ＮＥに面する光透過性板状部材１１の端面である入口端面１２を光らせる光を、入口端面１２以外の光透過性板状部材１１の端面１３から入れる。而して、ゲート装置１を構成する光透過性板状部材１１の入口端面１２以外の端面１３から入れられた光を入口端面１２で光らせることができ、景観が損なわれることを抑制しつつゲートＧの入口ＮＥを目立たせることができる。【選択図】図１
2018147098.tif 000002
【特許請求の範囲】
【請求項１】
通過体が通過し得るゲートを形成するゲート装置であって；
前記通過体を通過させる前記ゲートの通路を形成するように空間を区画する仕切部材であって、光透過性を有する板状部材で形成された光透過性板状部材を有し、前記光透過性板状部材の表面が前記通路に沿うように配置された仕切部材と；
前記ゲートの入口に面する前記光透過性板状部材の端面である入口端面を光らせる光を、前記入口端面以外の前記光透過性板状部材の端面から入れる発光装置とを備える；
ゲート装置。
【請求項２】
前記光透過性板状部材は、前記表面の一部又は全部に、前記発光装置から入れられた光を発光する面発光加工が施されて構成された；
請求項１に記載のゲート装置。
【請求項３】
前記光透過性板状部材の上端面を支持する上端支持部材と；
前記光透過性板状部材の下端面を支持する下端支持部材と；
前記入口端面の近傍に前記入口端面に沿って配置された補強部材であって、前記上端支持部材及び前記下端支持部材に支持されると共に、前記入口端面から放たれた光を散乱させるように構成された補強部材とを備える；
請求項１又は請求項２に記載のゲート装置。
【請求項４】
前記入口端面とは反対側の前記仕切部材の端部に設けられた筐体中間部であって、内部に空間が形成された筐体中間部を備える；
請求項１乃至請求項３のいずれか１項に記載のゲート装置。
【請求項５】
前記ゲートの通過の可否に関する情報が記録された記録媒体と通信する認証器を備え；
前記認証器は、前記光透過性板状部材の上端面に配置されており、所定の条件のときに前記入口端面と同期して光る案内部を有する；
請求項１乃至請求項４のいずれか１項に記載のゲート装置。
【請求項６】
前記ゲートの前記通路を形成する空間を遮る扉を備え；
前記扉は、所定の条件のときに一部又は全部が前記入口端面と同期して光るように構成された；
請求項１乃至請求項５のいずれか１項に記載のゲート装置。
【請求項７】
前記発光装置から出射される光の発光態様を制御する制御部を備える；
請求項１乃至請求項６のいずれか１項に記載のゲート装置。
【発明の詳細な説明】
【技術分野】
【０００１】
本発明はゲート装置に関し、特に建物や施設などへの通過体の入退場を管理するためのゲート装置に関する。
【背景技術】
【０００２】
建物や施設などへの入場及び／又は退場を管理するために、通行を許可する場合は扉を開き、許可しない場合は扉を閉じるゲート装置がある。この種のゲート装置として、ゲートの通行方向に沿って回動する扉と、ゲートの通路を形成する筐体とを備え、筐体は側面視が略正方形で正面視が縦に細長い直方体状に形成され、筐体の通行方向中央に扉が取り付けられているものがある（例えば、特許文献１参照。）。
【先行技術文献】
【特許文献】
【０００３】
【特許文献１】特開２０１２−１１８８６４号公報
【発明の概要】
【発明が解決しようとする課題】
【０００４】
近年、居住域の快適性を向上させる観点から、ゲート装置を設置する周囲の景観を損なわせないようにしたいとの要望が増加してきており、ゲートの通路を形成する仕切部材を透明な材料とすることが提案されている。しかしながら、仕切部材を透明な材料とすると、ゲートの入口が分かりにくくなってしまう。
【０００５】
本発明は上述の課題に鑑み、景観が損なわれることを抑制しつつゲートの入口を目立たせることができるゲート装置を提供することを目的とする。
【課題を解決するための手段】
【０００６】
上記目的を達成するために、本発明の第１の態様に係るゲート装置は、例えば図１及び図３に示すように、通過体Ｍが通過し得るゲートＧを形成するゲート装置１であって；通過体Ｍを通過させるゲートＧの通路Ｗを形成するように空間を区画する仕切部材１０であって、光透過性を有する板状部材で形成された光透過性板状部材１１を有し、光透過性板状部材１１の表面１５が通路Ｗに沿うように配置された仕切部材１０と；ゲートＧの入口ＮＥに面する光透過性板状部材１１の端面である入口端面１２を光らせる光を、入口端面１２以外の光透過性板状部材１１の端面１３から入れる発光装置３１とを備える。
【０００７】
このように構成すると、ゲート装置を構成する光透過性板状部材の入口端面以外の端面から入れられた光を入口端面で光らせることができ、景観が損なわれることを抑制しつつゲートの入口を目立たせることができる。
【０００８】
また、本発明の第２の態様に係るゲート装置は、例えば図４に示すように、上記本発明の第１の態様に係るゲート装置１（例えば図３参照）において、光透過性板状部材１１Ａは、表面１５の一部又は全部に、発光装置３１（例えば図３参照）から入れられた光を発光する面発光加工１５ｐが施されて構成されている。
【０００９】
このように構成すると、入口端面と同期して表面の一部又は全部を光らせることができ、光を認識できる範囲を拡大させることができる。
【００１０】
また、本発明の第３の態様に係るゲート装置は、例えば図５に示すように、上記本発明の第１の態様又は第２の態様に係るゲート装置において、光透過性板状部材１１の上端面を支持する上端支持部材２４と；光透過性板状部材１１の下端面を支持する下端支持部材２２と；入口端面１２の近傍に入口端面１２に沿って配置された補強部材３９であって、上端支持部材２４及び下端支持部材２２に支持されると共に、入口端面１２から放たれた光を散乱させるように構成された補強部材３９とを備える。
【００１１】
このように構成すると、光透過性板状部材を補強しつつ、入口端面から放たれた光が視認できなくなることを補填することができる。
【００１２】
また、本発明の第４の態様に係るゲート装置は、例えば図１及び図３に示すように、上記本発明の第１の態様乃至第３の態様のいずれか１つの態様に係るゲート装置１において、入口端面１２とは反対側の仕切部材１０の端部に設けられた筐体中間部２６であって、内部に空間が形成された筐体中間部２６を備える。
【００１３】
このように構成すると、入口端面側の景観を損なわせずに、ゲート装置を駆動させる機器を筐体中間部に収容することが可能になる。
【００１４】
また、本発明の第５の態様に係るゲート装置は、例えば図１及び図３に示すように、上記本発明の第１の態様乃至第４の態様のいずれか１つの態様に係るゲート装置１において、ゲートＧの通過の可否に関する情報が記録された記録媒体Ｃと通信する認証器４１を備え；認証器４１は、光透過性板状部材１１の上端面に配置されており、所定の条件のときに入口端面１２と同期して光る案内部４２を有する。
【００１５】
このように構成すると、記録媒体と通信する場所を明示できると共に入口端面が表すゲートの状態を案内部にも表示することが可能となる。
【００１６】
また、本発明の第６の態様に係るゲート装置は、例えば図１及び図３に示すように、上記本発明の第１の態様乃至第５の態様のいずれか１つの態様に係るゲート装置１において、ゲートＧの通路Ｗを形成する空間を遮る扉５１を備え；扉５１は、所定の条件のときに一部又は全部が入口端面１２と同期して光るように構成されている。
【００１７】
このように構成すると、入口端面が表すゲートの状態を扉にも表示することが可能となる。
【００１８】
また、本発明の第７の態様に係るゲート装置は、例えば図１及び図３に示すように、上記本発明の第１の態様乃至第６の態様のいずれか１つの態様に係るゲート装置１において、発光装置３１から出射される光の発光態様を制御する制御部６０を備える。
【００１９】
このように構成すると、ゲート装置の状態に応じて入口端面から発光される光の態様を変化させることができる。
【発明の効果】
【００２０】
本発明によれば、ゲート装置を構成する光透過性板状部材の入口端面以外の端面から入れられた光を入口端面で光らせることができ、景観が損なわれることを抑制しつつゲートの入口を目立たせることができる。
【図面の簡単な説明】
【００２１】
【図１】本発明の実施の形態に係るゲート装置の概略構成を示す斜視図である。
【図２】本発明の実施の形態に係るゲート装置の退場側入口の側から見た正面図である。
【図３】本発明の実施の形態に係るゲート装置の一態様である主機の概略構成を示す側面図である。
【図４】本発明の実施の形態に係るゲート装置が備える透過発光板の変形例を示す側面図である。
【図５】本発明の実施の形態の第１の変形例に係るゲート装置の概略構成を示す斜視図である。
【図６】本発明の実施の形態の第２の変形例に係るゲート装置の概略構成を示す斜視図である。
【発明を実施するための形態】
【００２２】
以下、図面を参照して本発明の実施の形態について説明する。なお、各図において互いに同一又は相当する部材には同一あるいは類似の符号を付し、重複した説明は省略する。
【００２３】
図１乃至図３を参照して、本発明の実施の形態に係るゲート装置１を説明する。図１は、ゲート装置１の概略構成を示す斜視図である。図２は、ゲート装置１の退場側入口ＴＥの側から見た正面図である。図３は、ゲート装置１の一態様である主機１Ａの概略構成を示す側面図である。本実施の形態では、主機１Ａと、ゲート装置１の別の態様である従機１Ｂと、の２台のゲート装置１が協働して１つのゲートＧを形成している。ゲートＧは、通過体としての通行者Ｍの通過の可否に応じて開閉する入退場口となっている。通行者Ｍは、本実施の形態では、ゲートＧの通行の可否が判断される管理対象者となっている。通行者ＭがゲートＧの通行を許可された者であるか否かは、本実施の形態では、通行者Ｍが所持している非接触型ＩＣカードＣ（以下、単に「カードＣ」という。）に記録されている情報に基づいて判断される。カードＣは、ゲートＧの通過の可否に関する情報が記録された記録媒体として機能する。このようなゲートＧは、好適には、商用ビル、図書館、大学、交通機関等に設置される。
【００２４】
まず、主機１Ａの構成を説明する。主機１Ａは、ゲートＧの通路Ｗを形成するように空間を区画する仕切部材１０と、仕切部材１０を支持する筐体２１と、光を出射する発光装置３１と、カードＣと無線通信する認証器４１と、通行者ＭによるゲートＧの通過を検知する検知部４５と、通路Ｗを遮断可能な扉５１と、主機１Ａの動作を制御する制御部６０とを備えている。
【００２５】
仕切部材１０は、本実施の形態では、透過発光板１１と、区画板１６とを有している。透過発光板１１は、光透過性を有する板状部材で形成されており、光透過性板状部材に相当する。ここで、光透過性を有するとは、透明（透過率が極めて高く物質を通してその向こう側が透けて見える状態の性質）及び透光性（透明と同様に光が透過する性質を有しているが、透過する光が拡散されるため、又は透過率が低いために、透明と違ってその材質を通して向こう側の形状等を明確に又はまったく認識できない状態の性質）の総称である。透過発光板１１は、本実施の形態では、主機１Ａを極力目立たないようにして周辺の景観を損なわないようにする観点から、透明アクリル樹脂で形成されている。
【００２６】
透過発光板１１は、表面１５の基本形状が概ね台形状に形成されている。透過発光板１１の概ね台形状の表面１５の形状は、上辺１４ａ及び下辺１４ｂが一組の平行な対辺を構成している。本実施の形態では、上辺１４ａは、下辺１４ｂよりも長くなっている。概ね台形状の表面１５の形状の、上辺１４ａ及び下辺１４ｂの間に存在する別の一組の対辺のうち、入場側入口ＮＥの側に配置される方の透過発光板１１の端面を入口端面１２といい、入口端面１２に対向する方の端面を入光端面１３ということとする。入口端面１２は、入場側入口ＮＥに面している。透過発光板１１は、表面１５の概ね台形状の、一組の平行な対辺のうちの下辺１４ｂと入光端面１３とが交差する角部が、長方形状に切り欠かれている。この長方形に切り欠かれる前の台形で見たときに、入光端面１３は、上辺１４ａ及び下辺１４ｂに直交している。
【００２７】
透過発光板１１は、ゲートＧとしての機能を効果的にする観点から、標準的な成人が容易に跨ぐことができない高さに形成されていることが好ましく、本実施の形態では高さが１ｍ程度となっている。また、透過発光板１１の厚さは、強度と軽量化とを勘案して適宜決定するとよい。透過発光板１１は、表面１５の垂線が水平となり、上辺１４ａが上、下辺１４ｂが下で、上辺１４ａ及び下辺１４ｂが水平になるように、配置されている。したがって、入口端面１２は、上方から下方に行くに連れて、入光端面１３に近づくように斜めに延びている。
【００２８】
区画板１６は、板状の部材で形成されており、本実施の形態では、透過発光板１１と同様に、主機１Ａを極力目立たないようにして周辺の景観を損なわないようにする観点から、透明アクリル樹脂で形成されている。このように、区画板１６は、透過発光板１１と同じ材料で形成されたものであるが、後述するように、透過発光板１１が入口端面１２を光らせることを予定しているのに対し、区画板１６は端面を光らせる予定がないという機能上の相違に鑑みて、透過発光板１１と区画板１６とを区別することとしている。区画板１６は、本実施の形態では、透過発光板１１と同じ厚さに形成されている。区画板１６は、表面の基本形状が概ね台形状に形成されている。区画板１６は、一組の平行な対辺が鉛直上下になるように配置されている。区画板１６の概ね台形状の、一組の平行な対辺の間に存在する別の一組の対辺のうち、一方の辺である垂直辺１６ｓｐは一組の平行な対辺の双方に対して垂直になっており、他方の辺である傾斜辺１６ｓｄは斜めになっている。区画板１６は、垂直辺１６ｓｐが透過発光板１１の入光端面１３に隣接しつつ、区画板１６の表面が透過発光板１１の表面１５と面一になるように配置されている。
【００２９】
透過発光板１１の入光端面１３と区画板１６の垂直辺１６ｓｐとの間には、中間支持部材２９が設けられている。中間支持部材２９は、仕切部材１０を補強する機能を有していると共に、透過発光板１１及び区画板１６を含む仕切部材１０の組立性の向上に寄与している。中間支持部材２９は、水平断面が矩形に形成された中空の角筒状に形成されている。中間支持部材２９は、鉛直上下に細長くなるように配置され、入光端面１３及び垂直辺１６ｓｐを挟み込んで支持している。中間支持部材２９は、典型的には透明ではない材料で形成されており、本実施の形態では金属材料で形成されている。中間支持部材２９は、極力周辺の景観を損なわないようにする観点から、極力小型に形成されていることが好ましい。
【００３０】
筐体２１は、ベース部２２と、上部２４と、筐体中間部２６（以下、単に「中間部２６」という。）とを有している。ベース部２２は、筐体２１の最下部に設けられる部分である。ベース部２２は、ゲートＧの通路Ｗが形成される床に固定されている。ベース部２２は、細長い厚板状に形成されており、透過発光板１１及び区画板１６の厚さに相当する溝が上面に形成されている。ベース部２２は、上面に形成された溝に透過発光板１１の下辺１４ｂ及び区画板１６の下端を嵌め込むことで、透過発光板１１及び区画板１６（仕切部材１０）を支持しており、下端支持部材に相当する。ベース部２２は、仕切部材１０や扉５１等の荷重に耐えることができるように、本実施の形態では金属で形成されている。また、ベース部２２には、長手方向（通路Ｗが延びる方向）の中央部に、発光装置３１の一部を収納すると共に扉５１の回転軸５３を駆動する駆動装置５５を収納する収納部２３が設けられている。収納部２３は、中間支持部材２９の下方で、透過発光板１１の切り欠かれた長方形状の部分に設けられている。
【００３１】
上部２４は、透過発光板１１及び区画板１６の上端に取り付けられている。上部２４には、認証器４１と検知部４５とが組み込まれている。上部２４は、極力周辺の景観を損なわないようにする観点から、認証器４１及び検知部４５を組み込むことができる範囲内で極力小さく形成されており、本実施の形態では細長い厚板状に形成されている。また、外観重視（意匠性重視）の観点から、上部２４の上面を平面状として、ゲート装置１の高さを抑えている。このため、本実施の形態では、上部２４に、認証器４１及び検知部４５以外の機器の収納スペースを確保するのが困難になっている。上部２４は、透過発光板１１及び区画板１６の厚さに相当する溝が下面に形成されている。上部２４は、下面に形成された溝に透過発光板１１の上辺１４ａ及び区画板１６の上端を嵌め込むことで、透過発光板１１及び区画板１６（仕切部材１０）を支持しており、上端支持部材に相当する。上部２４の天板などは、軽量化の観点から、本実施の形態では合成樹脂で形成されている。
【００３２】
中間部２６は、退場側入口ＴＥの側の端部で、ベース部２２と上部２４とを繋ぐように設けられている。すなわち、退場側入口ＴＥの側の仕切部材１０の端部に、換言すれば、中間支持部材２９が配置されている側とは反対側の区画板１６の端部に、中間部２６が設けられている。このように、本実施の形態では、中間部２６は、透過発光板１１の入口端面１２の側には設けられておらず、筐体２１は通路Ｗが延びる方向に非対称に構成されている。中間部２６は、制御部６０等の機器を収納することができるように、上部２４よりも内部の空間が広く形成されている。このように、中間部２６は、比較的大きく形成されているため、極力周辺の景観を損なわないようにする観点から、本実施の形態では、入口端面１２の側には設けずに、退場側入口ＴＥの側の仕切部材１０の端部に設けることとしている。
【００３３】
発光装置３１は、入口端面１２を光らせるための光を出射する装置である。発光装置３１は、本実施の形態ではＬＥＤが用いられている。発光装置３１としてＬＥＤを採用すると、ＬＥＤは小型で消費電力が少ないので発光装置３１及び電源（不図示）の設置スペースが小さくて済み、収納スペースが小さいゲート装置１に有利であると共に、発光色を適宜変えることができるという利点がある。発光装置３１は、入口端面１２に対向する端面、すなわち入光端面１３に沿って配置されている。発光装置３１は、入口端面１２に向けて光が照射される向きで、入光端面１３に沿って配置されている。なお、本実施の形態では、入光端面１３が中間支持部材２９及び収納部２３の内部に存在しているため、発光装置３１は中間支持部材２９及び収納部２３の内部に配置されている。
【００３４】
認証器４１は、カードＣと通信する機器である。認証器４１は、カードＣに記録された情報を読み取ると共にカードＣに対して情報を書き込むＩＣカードリーダライタで構成されている。認証器４１が行う情報の書き込みは、新たな情報を追加することの他、既存の情報を新たな情報に書き換える上書きすることを含む。認証器４１は、筐体２１の上部２４の、入場側入口ＮＥの側の端部に配置されている。また、認証器４１は、カードＣに対して無線通信可能な距離が限られているため、カードＣを翳す目安となる場所を表示する案内部４２を有している。案内部４２は、筐体２１の上部２４の上表面に表されたマーク（しるし）で構成されている。案内部４２は、所定の条件のときに入口端面１２と同期して光るように構成されている。ここで、所定の条件は、典型的には、通行者Ｍ（カードＣとの通信）を待機している状態である。認証器４１は、案内部４２の他に、通行者Ｍが必要な動作を音声で案内する音声部（不図示）を有していてもよい。なお、上部２４の入場側入口ＮＥの側の端部（認証器４１を設置しようとする場所）にスペースの制約がある場合は、少なくとも認証器４１のアンテナが上部２４の入場側入口ＮＥの側の端部に配置されていればよく、アンテナ以外の認証器４１の構成を別の場所（例えば制御部６０の収納場所）に配置してもよい。
【００３５】
検知部４５は、通路Ｗを通る通行者Ｍを検知する機器である。検知部４５は、筐体２１の上部２４の、通路Ｗ上の空間の側の側面に設けられている。また、検知部４５は、扉５１に対して、入場側入口ＮＥの側及び退場側入口ＴＥの側の双方に設けられている。検知部４５は、典型的には赤外線や超音波を用いた人感センサで構成されている。
【００３６】
扉５１は、通路Ｗ上の空間を遮る部材である。扉５１は、本実施の形態では、極力目立たないようにして周辺の景観を損なわないようにする観点から、板状の透明アクリル樹脂で形成されている。扉５１は、側面の１つが、鉛直に延びた棒状の回転軸５３に、扉取付部５２を介して固定されている。扉取付部５２の内部には、回転軸５３に隣接する扉５１の端面から、その対向する端面に向けて光を入射させる不図示の光源（典型的にはＬＥＤ）が設けられている。光源（不図示）から発せられた光は、回転軸５３とは反対側の扉５１の端辺を光らせる。これにより、透明アクリル樹脂で形成された扉５１の存在を、通行者Ｍに認識させることができる。扉５１は、典型的には、所定の条件のときに入口端面１２と同期して光るように構成されている。ここで、所定の条件は、典型的には案内部４２における所定の条件と同じである。所定の条件以外のときは、入口端面１２とは別の態様で光らせるようにしてもよい。回転軸５３は、下端に取り付けられた駆動装置５５によって、軸線回りに回転することができるように構成されている。駆動装置５５は、収納部２３に収納されている。回転軸５３は、中間支持部材２９に沿って配置されている。回転軸５３の上端は、筐体２１の上部２４に設けられた軸受け部２４ｔに、回転可能に支持されている。扉５１の高さ寸法は、本実施の形態では、概ね筐体２１の高さ寸法と同じに構成されているが、ゲートＧを通過する予定の通行者Ｍの特徴等を勘案して適宜決定することができる。扉５１は、通路Ｗの床から浮かせて取り付けられているため、扉５１の最高点は筐体２１の最高点よりも高くなっている。この構成により、乗り越え防止効果を高めている。扉５１の幅は、従機１Ｂと協働してゲートＧを形成する主機１Ａでは、通路Ｗの幅の概ね半分の長さに形成されている。扉５１の幅が通路Ｗの幅の概ね半分に形成されていることにより、概ね通路Ｗの幅と同じに形成されている場合に比べて扉５１を回転させる際の駆動装置５５の負荷を低減することができる。
【００３７】
制御部６０は、本実施の形態では、筐体２１の中間部２６内に収納されている。制御部６０は、発光装置３１、認証器４１（案内部４２を含む）、検知部４５、扉５１の光源（不図示）、駆動装置５５及び従機１Ｂのそれぞれに対して電気的に接続されており、制御信号を受信及び／又は送信することができるように構成されている。より詳細には、制御部６０は、発光装置３１が出射する光の色や点灯時間等の発光態様を制御することができるように構成されている。また、制御部６０は、認証器４１で読み取ったカードＣの情報に基づいてそのカードＣを翳した通行者ＭのゲートＧ通過の可否を判断すると共に、判断した結果を認証器４１に送信することができるように構成されている。また、制御部６０は、案内部４２及び扉５１の光源の発光態様（光の色や点灯時間等）を制御することができるように構成されている。また、制御部６０は、検知部４５で通行者Ｍが検知されたか否かを受信することができるように構成されている。また、制御部６０は、認証器４１で読み取った情報の判定結果に基づいて駆動装置５５を駆動させて扉５１を開け閉めすることができるように構成されている。また、制御部６０には、発光装置３１、案内部４２、及び扉５１の光源の、ゲート装置１の状態に応じた発光態様が記憶されている。また、制御部６０は、従機１Ｂの制御部６０と接続されており、従機１Ｂの動作と同期させることができるように構成されている。また、制御部６０は、ゲート装置１をシステムとして管理するホストコンピュータ等の上位装置（不図示）と通信部（不図示）を介して接続されている。
【００３８】
次に、従機１Ｂの構成を説明する。従機１Ｂは、概ね主機１Ａと同様に構成されているが、以下の点で主機１Ａとは異なっている。従機１Ｂは、認証器４１が、筐体２１の上部２４に配置されている点は主機１Ａと同様であるが、主機１Ａが入場側入口ＮＥの側の端部に配置されているのに対し、従機１Ｂでは退場側入口ＴＥの側の端部に配置されている点で主機１Ａとは異なっている。また、従機１Ｂは、筐体２１の中間部２６の退場側入口ＴＥの側に面する部分に、退場側発光部２７（図２参照）が設けられている点で主機１Ａとは異なっている。退場側発光部２７は、中間部２６の当該箇所が、入口端面１２と同様の大きさで上下に細長く切り欠かれることで形成されている。退場側発光部２７の光源は、典型的にはＬＥＤが用いられており、中間部２６の内部に収容されている。退場側発光部２７の光源は、制御部６０と電気的に接続されており、制御部６０からの指令信号を受信して発光態様を制御することができるように構成されている。なお、ホストコンピュータ等の上位装置（不図示）との通信が主機１Ａを介して行われる場合は、通信部（不図示）を省略すると共に上位装置（不図示）と接続されていなくてもよい。従機１Ｂの上記以外の構成は、主機１Ａと同様である。
【００３９】
主機１Ａと従機１Ｂとは、それぞれのベース部２２が、通路Ｗの幅をあけて平行になるようにして、床に固定されている。換言すれば、通路Ｗの幅は、主機１Ａと従機１Ｂとの間隔を調節することで適宜決定することができる。主機１Ａ及び従機１Ｂは、それぞれの入口端面１２が入場側入口ＮＥの側に面し、それぞれの中間部２６が退場側入口ＴＥの側に面するように配置されている。また、主機１Ａ及び従機１Ｂは、入場側入口ＮＥの側から見て右側が主機１Ａで左側が従機１Ｂに、換言すれば退場側入口ＴＥの側から見て左側が主機１Ａで右側が従機１Ｂになるように配置されている。このように配置されていると、認証器４１に対して通行者Ｍが右手で持ったカードＣを翳すのに便利となる。
【００４０】
引き続き図１乃至図３を参照して、ゲート装置１（本実施の形態では主機１Ａ及び従機１Ｂ）の作用を説明する。以下の説明において、主機１Ａの構成部材と従機１Ｂの構成部材とを区別する必要がある場合は、主機１Ａの構成部材には接頭語「主」を付すと共に符号の末尾に欧文字「Ａ」を付し、従機１Ｂの構成部材には接頭語「従」を付すと共に符号の末尾に欧文字「Ｂ」を付すこととする。また、特に言及がない場合は、主機１Ａ及び従機１Ｂそれぞれの構成部材が同じ動作をするものとする。
【００４１】
ゲート装置１は、通行者Ｍの通行がない場合、通行者Ｍの通過を待機する状態となっている。待機状態では、扉５１は閉じた状態（通路Ｗを遮った状態）となっている。また、待機状態では、発光装置３１から青色の光が出射されている。発光装置３１から出射された光は、透過発光板１１内を全反射により伝搬し、入口端面１２において発光して、入口端面１２全体が青色に点灯する。このように入口端面１２が発光することで、周囲の景観に溶け込んで認識しにくい透過発光板１１の存在を通行者Ｍに認知させることができ、通行者Ｍに入場側入口ＮＥの場所を明示することができる。また、待機状態では、従機１Ｂの退場側発光部２７が青色に点灯している。入口端面１２が青色に点灯していることにより、入場側入口ＮＥからの進入が可能な状態であることを示し、退場側発光部２７が青色に点灯していることにより、退場側入口ＴＥからの進入が可能な状態であることを示している。このように、発光する入口端面１２は、通行者Ｍに対して、入場側入口ＮＥの場所を明示するだけでなく、入場の可否やゲート装置１の状態を分かりやすく示すこともできる。このことを別の視点から見れば、入場の可否やゲート装置１の状態を表示する表示手段を筐体２１の上部に設置することが周囲の景観を損なう等の理由で制限される場合に、発光する入口端面１２によって周囲の景観を損なわせずに表示手段の機能を実現することができるといえる。また、待機状態では、案内部４２と、回転軸５３とは反対側の扉５１の端辺とが、青色に明滅している。案内部４２が明滅することで、通行者ＭにカードＣを翳す場所を明示することができる。回転軸５３とは反対側の扉５１の端辺が明滅することで、透明アクリル樹脂で形成されて目立たない扉５１の存在を、極力周辺の景観を損なわないようにしつつ通行者Ｍに認識させることができ、通行者Ｍが意図せずに扉５１に衝突してしまうことを抑制することができる。
【００４２】
ゲート装置１が待機状態のときに、通行者Ｍが入場側入口ＮＥからゲートＧに入ろうとして主案内部４２ＡにカードＣを翳すと、主認証器４１Ａは、翳されたカードＣに記録されている情報を読み取る。このとき、主認証器４１Ａは、情報を読み取った旨を知らせる「ピッ」という電子音が鳴ることとしてもよい。主認証器４１Ａは、カードＣから読み取った情報を信号として主制御部６０Ａに送信する。主制御部６０Ａは、主認証器４１Ａから受信した情報に基づいて、そのカードＣを翳した通行者Ｍが入場を許可された者か否かを判断する。
【００４３】
主制御部６０Ａは、通行者Ｍが入場を許可された者ではないと判断した場合、ゲート装置１を以下のように作動させる。扉５１については、閉じた状態（通路Ｗを遮った状態）を維持する。主案内部４２Ａについては、最大明るさの赤色で点滅させる。主案内部４２Ａが赤色で点滅していることにより、主認証器４１Ａで読み取ったカードＣの判定結果としてゲートＧの通行を許可できないことを示している。従案内部４２Ｂについては、完全消灯させる。従案内部４２Ｂが消灯していることにより、従認証器４１ＢではカードＣとの通信を行うことができない状態であることを示している。主機１Ａ及び従機１Ｂ双方の入口端面１２については、青色に点灯させる。入口端面１２が青色に点灯していることにより、入場が許可されなかった通行者Ｍが入場側入口ＮＥへ戻ることができると共に、入場側入口ＮＥからの進入が可能であることを示している。退場側発光部２７については、赤色に点灯させる。退場側発光部２７が赤色に点灯していることにより、退場側入口ＴＥからの進入ができないことを示している。なお、閉じた扉５１を赤色に点灯させてもよい。制御部６０は、上述の状態を、別のカードＣが主案内部４２Ａに翳されるまで、あるいは、通路Ｗに進入した通行者Ｍが入場側入口ＮＥから通路Ｗの外に出たことを検知部４５が検知するまで維持する。
【００４４】
主制御部６０Ａは、通行者Ｍが入場を許可された者であると判断した場合、ゲート装置１を以下のように作動させる。なお、主制御部６０Ａは、必要に応じて、主認証器４１Ａを介してカードＣに情報を書き込むこととしてもよい。主案内部４２Ａについては、青色で１回点灯させる。１回点灯は、数秒間（典型的には２〜３秒）点灯した後に消灯した状態を維持するものである。主案内部４２Ａが青色で点灯することにより、主認証器４１Ａで読み取ったカードＣの判定結果としてゲートＧの通行を許可することを示しつつ、その後消灯することで主認証器４１ＡではカードＣとの通信を行うことができない状態であることを示している。従案内部４２Ｂについては、完全消灯させる。従案内部４２Ｂが消灯していることにより、従認証器４１ＢではカードＣとの通信を行うことができない状態であることを示している。主機１Ａ及び従機１Ｂ双方の入口端面１２については、青色に点灯させる。入口端面１２が青色に点灯していることにより、ゲートＧの通行を許可することを示している。退場側発光部２７については、赤色に点灯させる。退場側発光部２７が赤色に点灯していることにより、退場側入口ＴＥからの進入ができないことを示している。また、制御部６０は、駆動装置５５を作動させることで扉５１を退場側入口ＴＥの方向に回動させて、扉５１を開いた状態（通路Ｗを遮っていない状態）にする。
【００４５】
扉５１が開いた状態になったら、主制御部６０Ａは、ゲート装置１を以下のように作動させる。主案内部４２Ａについては、消灯させる。主案内部４２Ａが消灯することにより、主認証器４１Ａでは次の通行者ＭのカードＣとの通信を行うことができない状態であることを示している。従案内部４２Ｂについては、完全消灯を継続する。主機１Ａ及び従機１Ｂ双方の入口端面１２については、赤色に点灯させる。入口端面１２が赤色に点灯していることにより、入場側入口ＮＥから次の通行者Ｍが進入できないことを示している。退場側発光部２７については、赤色の点灯を継続する。制御部６０は、上述の状態を、所定の時間が経過するまで、あるいは、通行者Ｍが通路Ｗの外に出たことを検知部４５が検知するまで維持する。制御部６０は、扉５１が開いた状態になってから所定の時間が経過したときに通行者Ｍが通路Ｗ内にいない場合、あるいは所定時間が経過した後で通行者Ｍが通路Ｗの外に出た場合に、前述した待機状態に、ゲート装置１を作動させる。
【００４６】
次に、通行者Ｍが退場側入口ＴＥからゲートＧに入る場合のゲート装置１の作用を説明する。ゲート装置１が待機状態のときに、通行者Ｍが退場側入口ＴＥからゲートＧに入ろうとして従案内部４２ＢにカードＣを翳すと、従認証器４１Ｂは、翳されたカードＣに記録されている情報を読み取り、読み取った情報を信号として従制御部６０Ｂに送信する。従制御部６０Ｂは、従認証器４１Ｂから受信した情報に基づいて、そのカードＣを翳した通行者Ｍが退場を許可された者か否かを判断する。従制御部６０Ｂは、通行者Ｍが退場を許可された者ではないと判断した場合、扉５１については閉じた状態（通路Ｗを遮った状態）を維持し、従案内部４２Ｂについては最大明るさの赤色で点滅させ、主案内部４２Ａについては完全消灯させ、退場側発光部２７については青色に点灯させ、入口端面１２については赤色に点灯させる。各部における発光した色及び消灯の意味は、前述の、入場側入口ＮＥからゲートＧに入ろうとした通行者Ｍが入場を許可されなかった場合に準ずる。制御部６０は、上述の状態を、別のカードＣが従案内部４２Ｂに翳されるまで、あるいは、通路Ｗに進入した通行者Ｍが退場側入口ＴＥから通路Ｗの外に出たことを検知部４５が検知するまで維持する。
【００４７】
従制御部６０Ｂは、通行者Ｍが退場を許可された者であると判断した場合、まず、従案内部４２Ｂについては青色で１回点灯させ、主案内部４２Ａについては完全消灯させ、退場側発光部２７については青色に点灯させ、入口端面１２については赤色に点灯させ、同時に、制御部６０は、駆動装置５５を作動させることで扉５１を入場側入口ＮＥの方向に回動させて、扉５１を開いた状態（通路Ｗを遮っていない状態）にする。その後、従制御部６０Ｂは、従案内部４２Ｂについては消灯させ、主案内部４２Ａについては完全消灯を継続し、退場側発光部２７については赤色に点灯させ、入口端面１２については赤色の点灯を継続する。各部における発光した色及び消灯の意味は、入場側入口ＮＥからゲートＧに入ろうとした通行者Ｍが入場を許可された場合に準ずる。制御部６０は、上述の状態を、所定の時間が経過するまで、あるいは、通行者Ｍが通路Ｗの外に出たことを検知部４５が検知するまで維持する。制御部６０は、扉５１が開いた状態になってから所定の時間が経過したときに通行者Ｍが通路Ｗ内にいない場合、あるいは所定時間が経過した後で通行者Ｍが通路Ｗの外に出た場合に、前述した待機状態に、ゲート装置１を作動させる。
【００４８】
なお、ゲート装置１に異常が発生した場合、制御部６０（主制御部６０Ａ及び従制御部６０Ｂ）は、ホストコンピュータ等の上位装置（不図示）からの指令あるいは手動操作による指令を受けて、案内部４２（主案内部４２Ａ及び従案内部４２Ｂ）については消灯させて、カードＣとの通信を行うことができない状態であることを示し、入口端面１２及び退場側発光部２７については赤色に点灯させて、入場側入口ＮＥ及び退場側入口ＴＥ双方からの進入ができないことを示す。このとき、扉５１は閉じた状態（通路Ｗを遮った状態）にして、通行者ＭがゲートＧを通過できないようにする。また、災害等が発生した場合、入口端面１２については赤色に点灯させ、退場側発光部２７については青色に点灯させ、扉５１を開放状態にして、通行者ＭがゲートＧを通過して退出するように案内することもできる。
【００４９】
以上で説明したように、本実施の形態に係るゲート装置１によれば、仕切部材１０が光透過性を有する板状部材で形成されているので、周辺の景観が損なわれることを抑制することができ、入口端面１２を光らせることで、周囲の景観に溶け込んで認識しにくい透過発光板１１の存在を通行者Ｍに認知させることができる。また、筐体２１を、退場側入口ＴＥの側の仕切部材１０の端部に中間部２６を設け、通路Ｗが延びる方向に非対称に構成することで、入場側入口ＮＥの側の景観が損なわれることを抑制しつつ、制御部６０等の機器を収納するスペースを確保することができる。
【００５０】
なお、図４に示すように、表面１５に面発光部１５ｐが設けられた透過発光板１１Ａを、透過発光板１１（図３参照）に代えてゲート装置１に採用してもよい。図４は、変形例に係る透過発光板１１Ａの側面図である。面発光部１５ｐは、表面１５の任意の部分に、面発光加工が施されて形成されている。面発光加工の例として、表面１５にメンディングテープを貼付することや、表面１５をブラスト加工すること等が挙げられる。面発光部１５ｐは、透明アクリル樹脂のつやが失われ、つや消しとなっている。面発光部１５ｐが形成された透過発光板１１Ａでは、発光装置３１から出射されて入光端面１３から入った光が、透過発光板１１Ａ内を全反射により伝搬する際に、面発光部１５ｐに侵入したものがそこで乱反射することで面発光部１５ｐを光らせると共に、入口端面１２に到達したものがそこで発光する。このように、透過発光板１１Ａによれば、入口端面１２と面発光部１５ｐとを光らせることができ、極力周囲の景観を損なわないように目立たないように設置されている中で、光を認識できる範囲を拡大させることができて、通行者Ｍによる透過発光板１１への衝突を防ぐ効果を高めることができる。面発光部１５ｐとしてメッセージ性のある表示をした場合は、宣伝効果を期待することもできる。なお、面発光部１５ｐは、表面１５の一部のみならず、表面１５全体に形成されていてもよい。
【００５１】
また、図５に示すように、主機１Ａ及び／又は従機１Ｂに、補強部材としての補強棒３９を設けてもよい。補強棒３９は、典型的には、クロームめっきが施された丸棒、又はステンレス丸棒が用いられる。クロームめっきが施された丸棒は、鏡面反射するように構成されている。ステンレス丸棒は、光を散乱させるように構成されている。補強棒３９は、透過発光板１１の入口端面１２の近傍に、入口端面１２に沿って配置され、両端がそれぞれ筐体２１のベース部２２及び上部２４に支持されている。入口端面の近傍とは、補強の目的を達成できると共に散乱光が実用的な照度を有する近さである。補強棒３９が設けられていると、筐体２１がなく比較的強度が低い入口端面１２を補強することができ、外部からの衝撃（例えば台車等の衝突）から入口端面１２を保護することができると共に、入口端面１２から放たれた光が補強棒３９の表面で反射して周囲に放射されるので、通行者Ｍに入場側入口ＮＥの場所を明示することができる。なお、図５に示す例示では、１つのゲート装置１につき補強棒３９が１つ設置されているが、１つのゲート装置１につき複数の補強棒３９が設置されていてもよい。特に入口端面１２を挟むように補強棒３９を２本設置すると、入口端面１２の保護を強化することができると共に、光を反射、散乱する補強棒３９の間から発光する入口端面１２が見えるようになり、ゲートＧの入り口を目立たせる効果を高めることができる。仮に、補強棒３９の存在によって、入場側入口ＮＥから入口端面１２が見えにくい場合であっても、ゲートＧに侵入した通行者Ｍに対しては、入口端面１２の視認に補強棒３９が邪魔にならず、入場の可否やゲート装置１の状態を表示する案内として入口端面１２は有用である。
【００５２】
以上の説明では、主機１Ａ及び従機１Ｂの２台のゲート装置１が協働して１つのゲートＧを形成しているとしてが、主機１Ａ１台を壁際に設置して壁と主機１Ａとで１つのゲートＧを形成することとしてもよく、あるいは、図６に示すように、主機１Ａと従機１Ｂとの間に共機１Ｃを追加して、複数のゲートＧを構成することとしてもよい。共機１Ｃは、主機１Ａと比較して、以下の点が異なっている。共機１Ｃは、案内部４２を含む認証器４１が、筐体２１の上部２４の、入場側入口ＮＥの側の端部のみならず、従機１Ｂと同様に退場側入口ＴＥの側の端部にも設けられている。また、筐体２１の中間部２６には、従機１Ｂと同様に、退場側入口ＴＥの側に面する部分に退場側発光部２７が設けられている。また、筐体２１の上部２４には、軸受け部２４ｔが両側面に合計２箇所設けられており、回転軸５３、扉取付部５２、扉５１、駆動装置５５も、それぞれ、仕切部材１０の両側に合計２箇所設けられている。また、検知部４５も、筐体２１の上部２４の両側面に設けられている。共機１Ｃの上記以外の構成は、主機１Ａと同様である。共機１Ｃは、待機状態のときは主機１Ａ及び従機１Ｂと同様に作動し、入場側入口ＮＥの側の案内部４２にカードＣが翳された場合は主機１Ａと同様に作動し、退場側入口ＴＥの側の案内部４２にカードＣが翳された場合は従機１Ｂと同様に作動する。主機１Ａと従機１Ｂとの間に設置する共機１Ｃは、図６に例示するような１台のみならず、複数台であってもよい。共機１Ｃを１台設置した場合は２つのゲートＧができ、共機１Ｃを２台設置した場合は３つのゲートＧができ、共機１Ｃをｎ台設置した場合は（ｎ＋１）個のゲートＧができる。
【００５３】
以上の説明では、通過体が通行者Ｍであるとしたが、搬送ロボット等の機械体でもよく、人間以外の動物であってもよい。
【００５４】
以上の説明では、仕切部材１０が、透過発光板１１と区画板１６とを有しているとしたが、区画板１６に代えて、全体が透過発光板１１で構成されていてもよい。この場合、発光装置３１を筐体２１（中間部２６）の内部に設けるとよい。あるいは、仕切部材１０は、透過発光板１１及び区画板１６に加えて他の板状部材や枠体等を有していてもよい。
【００５５】
以上の説明では、入場側入口ＮＥの端部には筐体２１が設けられずに退場側入口ＴＥの端部に筐体２１の中間部２６が設けられることとしたが、設置方向を逆にして、退場側入口ＴＥの端部には筐体２１が設けられずに入場側入口ＮＥの端部に筐体２１の中間部２６が設けられることとしてもよい。この場合、少なくとも退場側入口ＴＥの側に透過発光板１１を設置して、退場側の入口端面１２を光らせることができる。
【００５６】
以上の説明では、入場側入口ＮＥの端部には筐体２１が設けられずに退場側入口ＴＥの端部に筐体２１の中間部２６が設けられることで、通路Ｗが延びる方向に筐体２１が非対称に構成されているとしたが、中間部２６を省略して退場側入口ＴＥの端部にも筐体２１を設けないこととしてもよい。この場合、区画板１６に代えて透過発光板１１を設けること、すなわち、中間支持部材２９から見て入場側入口ＮＥの側及び退場側入口ＴＥの側の双方に透過発光板１１を設けることとしてもよく、中間支持部材２９の内部に設置した発光装置３１から双方に光を出射して入場側の入口端面１２及び退場側の入口端面１２の双方を光らせるようにしてもよい。
【００５７】
以上の説明では、透過発光板１１が透明アクリル樹脂で形成されていることとしたが、透明ガラスで形成されていてもよく、透明ではなく半透明の樹脂又はガラスで形成されていてもよい。
【００５８】
以上の説明では、区画板１６が光透過性を有する材料で形成されているとしたが、光透過性を有さない部材で形成されていてもよい。しかしながら、周囲の景観を極力損なわせず、また、透過発光板１１との調和を図る観点から、光透過性を有する部材で形成されていることが好ましく、透明な材料で形成されていることがより好ましい。
【００５９】
以上の説明では、認証器４１がカードリーダライタで構成されているとしたが、顔認証装置や指紋認証装置等の、カードリーダライタ以外の装置で構成されていてもよい。また、認証が不要な場合は認証器４１を設けなくてもよい。
【符号の説明】
【００６０】
１    ゲート装置
１０  仕切部材
１１  透過発光板
１２  入口端面
１３  入光端面
１５  表面
１５ｐ  面発光部
２２  ベース部
２４  上部
２６  中間部
３１  発光装置
３９  補強棒
４１  認証器
４２  案内部
５１  扉
６０  制御部
Ｃ    カード
Ｇ    ゲート
Ｍ    通行者
ＮＥ  入場側入口
ＴＥ  退場側入口
Ｗ    通路
【図１】
2018147098.tif 000003
【図２】
2018147098.tif 000004
【図３】
2018147098.tif 000005
【図４】
2018147098.tif 000006
【図５】
2018147098.tif 000007
【図６】
2018147098.tif 000008